(57)【特許請求の範囲】
【請求項１】
スカート部と、スカート部の内部に配置されるボウル部と、スカート部の上部に接合されるリム部とに３分割された便器であって、
前記ボウル部の上端部は、リム部の内辺部の底部に接合する一方、
前記スカート部は、ボウル部の表面の後方側において、ボウル部近傍の上部をボウル部の裏面に沿わせて、ボウル部の裏面の下部付近まで下方に延長させて、ボウル部の円周方向に広幅円弧状のボウル支持部を一体形成するとともに、
前記スカート部の内面には、前記ボウル部の裏面に沿うように突出するボウル支持リブを、スカート部の中心から放射状となるように複数個を一体形成して、各ボウル支持リブでボウル部の裏面を支持するようにし、各ボウル支持リブの下端部は、便器の設置フロアに接するようにしたことを特徴とする便器。
【請求項２】
ボウル部の裏面側にヒータを配置したことを特徴とする請求項１に記載の便器。
【発明の詳細な説明】
【技術分野】
【０００１】
本発明は、３分割タイプの便器に関する。
【背景技術】
【０００２】
従来、図３（ａ）（ｂ）に示すように、スカート部１と、スカート部１の内部に配置されるボウル部２と、スカート部１の上部に接合されるリム部３とに３分割された合成樹脂製の便器がある（特許文献１参照）。
【０００３】
そして、図３（ｃ）に示すように、リム部３を上辺部３ａと内辺部３ｂとで形成して、スカート部１の上端部１ａをリム部３の上辺部３ａの下面に当接させて接合するとともに、ボウル部２の上端部２ａをリム部３の内辺部３ｂの底部３ｃに接合するものを本出願人が先に提案している。
【特許文献１】特許第３４３６００４号公報
【発明の開示】
【発明が解決しようとする課題】
【０００４】
ところで、前記のような３分割タイプの便器において、ボウル部の肉厚が薄いと、尿水等が当たりやすい部分が振動することで、当たり音が大きくなりやすいという問題があった。
【０００５】
本発明は、前記問題を解消するためになされたもので、尿水等が当たりやすい部分の振動を抑制して当たり音を減衰するとともに、スカート部によるボウル部の支持が安定するように工夫した便器を提供することを目的とするものである。
【課題を解決するための手段】
【０００６】
前記課題を解決するために、本発明は、スカート部と、スカート部の内部に配置されるボウル部と、スカート部の上部に接合されるリム部とに３分割された便器であって、前記ボウル部の上端部は、リム部の内辺部の底部に接合する一方、前記スカート部は、ボウル部の表面の後方側において、ボウル部近傍の上部をボウル部の裏面に沿わせて、ボウル部の裏面の下部付近まで下方に延長させて、ボウル部の円周方向に広幅円弧状のボウル支持部を一体形成するとともに、前記スカート部の内面には、前記ボウル部の裏面に沿うように突出するボウル支持リブを、スカート部の中心から放射状となるように複数個を一体形成して、各ボウル支持リブでボウル部の裏面を支持するようにし、各ボウル支持リブの下端部は、便器の設置フロアに接するようにしたことを特徴とする便器を提供するものである。
【０００８】
寒冷地における便器内の残水の凍結を防止するために、ボウル部の裏面側にヒータを配置することが好ましい。
【発明の効果】
【０００９】
本発明によれば、スカート部から延長したボウル支持部でボウル部の裏面を支持するようにしたから、スカート部のボウル支持部の部分のボウル部が多重（多層）構造となって肉厚が厚くなるので、肉厚を厚くする箇所をボウル部の表面（洗浄面）の後方側に設定することで、特に男性の尿水等が当たりやすい部分の振動が抑制されて当たり音を減衰できるとともに、スカート部のボウル支持部によって、ボウル部の支持が安定して、接合時の位置ズレが発生しにくくなる。
また、スカート部のボウル支持部をボウル部の裏面の下部付近まで延長したから、ボウル部をスカート部に組み付ける際の位置決めが容易になるとともに、尿水等が当たりやすい部分を拡大できるので有利になる。
さらに、スカート部のボウル支持部によって、ボウル支持リブと相俟ってボウル部の支持が安定して、接合時の位置ズレが発生しにくくなる。
さらにまた、各ボウル支持リブの下端部は、便器の設置フロアに接するようになるから、スカート部を便器の設置フロアに安定して置くことができ、スカート部が撓みにくくなるとともに、ボウル部の支持も安定するようになる。
【発明を実施するための最良の形態】
【００１０】
以下、本発明を実施するための最良の形態について、図面を参照しながら詳細に説明する。なお、背景技術と同一構成・作用の箇所は、同一番号を付して詳細な説明を省略する。
【００１１】
図１（ａ）は便器の側面断面図、図１（ｂ）はスカート部１のボウル支持部１ｂの要部斜視図、図２（ａ）はスカート部の平面図、図２（ｂ）は図２（ａ）のI−I線断面図、図２（ｃ）は図２（ｂ）のII−II線断面図である。
【００１２】
図１（ａ）において、スカート部１の内部にボウル部２が配置されるとともに、スカート部１の上部にリム部３が接合されている。このリム部３は、上辺部３ａと内辺部３ｂとで形成して、スカート部１の上端部１ａをリム部３の上辺部３ａの下面に当接させて接合するとともに、ボウル部２の上端部２ａをリム部３の内辺部３ｂの底部３ｃに接合している。
【００１３】
スカート部１は、ボウル部２の表面（洗浄面）の後方側において、ボウル部２の近傍の上部をボウル部２の裏面２ｂに沿わせて下方に延長させて、図１（ｂ）のように、ボウル部２の円周方向に広幅円弧状のボウル支持部１ｂを一体形成している。
【００１４】
また、スカート部１の内面には、ボウル部２の裏面２ｂに沿うように突出するボウル支持リブ１ｃを一体形成している。このボウル支持リブ１ｃは、図２（ａ）のように、スカート部１の平面視において、例えばスカート部１の中心から放射状となるように複数個（本例では８個）を形成して、各ボウル支持リブ１ｃでもボウル部２の裏面２ｂを支持するようにしている。各ボウル支持リブ１ｃの下端部は、便器の設置フロアに接するようになる。これにより、スカート部１を便器の設置フロアに安定して置くことができ、スカート部１が撓みにくくなるとともに、ボウル部２の支持も安定するようになる。
【００１５】
このように、スカート部１から延長したボウル支持部１ｂでボウル部２の裏面を支持することにより、スカート部１のボウル支持部１ｂの部分のボウル部２が多重（本例では２重）構造となって肉厚が厚くなるので（本例では約２倍）、このような肉厚を厚くする箇所を本例のようにボウル部２の表面（洗浄面）の後方側に設定すれば、特に男性の尿水等〔図１（ａ）の矢印ａ参照〕が当たりやすい部分の振動が抑制されて、当たり音を減衰できるようになる。
【００１６】
また、スカート部１のボウル支持部１ｂによって、ボウル支持リブ１ｃと相俟ってボウル部２の支持が安定して、接合時の位置ズレが発生しにくくなる。
【００１７】
一方、スカート部１のボウル支持部１ｂをボウル部２の裏面２ｂの下部付近まで延長すれば、ボウル部２をスカート部１に組み付ける際の位置決めが容易になるとともに、尿水等が当たりやすい部分を拡大できるので有利になる。
【００１８】
また、図２（ａ）（ｂ）に仮想線で輪郭とハッチングを示したように、ボウル部２の裏面２ｂ側の周囲を取り巻くようにシート状のヒータ４を配置している。このヒータ４は、ボウル部２の裏面２ｂ側の全面に配置する必要は無く、ボウル部２の貯水面（喫水面）Ｌの付近だけで良い。なお、ヒータ４はシート状である必要は無く、例えばスカート部１に凹溝を形成して、この凹溝に棒状ヒータを嵌め込むこともできる。
【００１９】
このように、ボウル部２の裏面側にヒータ４を配置することにより、寒冷地における便器内の残水の凍結を防止することができる。
【００２０】
前記実施形態において、便器は、スカート部１とボウル部２とリム部３とに少なくとも３分割された合成樹脂製の成形品であり、これらを溶着により接合して一体化した構造である。成形方法としては、射出成形、圧縮成形、真空成形等がある。成形材料としては、比較的強度があるアクリル系樹脂、補強材入りＡＢＳやＰＢＴ等を使用することができる。なお、ボウル部２は、陶器製や金属製であって可能である。
【図面の簡単な説明】
【００２１】
【図１】本発明の実施形態に係る便器であり、（ａ）は側面断面図、（ｂ）はスカート部のボウル支持部の要部斜視図である。
【図２】（ａ）はスカート部の平面図、（ｂ）は（ａ）のI−I線断面図、（ｃ）は（ｂ）のII−II線断面図である。
【図３】従来の便器であり、（ａ）は分解斜視図、（ｂ）は斜視図、（ｃ）は側面断面図である。
【符号の説明】
【００２２】
１    スカート部
１ｂ  ボウル支持部
１ｃ  ボウル支持リブ
２    ボウル部
２ｂ  裏面
３    リム部
４    ヒータ
【図１】
0004687528.tif 000002
【図２】
0004687528.tif 000003
【図３】
0004687528.tif 000004